(57)【要約】【課題】  上記問題を解決するために、安価で、環境負荷が低く、相手材を汚さないように配慮したインパクト工具を提供することにある。【解決手段】  モータと、該モータに回転駆動されるインパクト機構部と、該インパクト機構部に接続される先端工具保持部と、前記インパクト機構部の外周を覆うハンマケースとを有するインパクト工具であって、前記ハンマケースを金属で構成し、前記ハンマケースの少なくとも一部を鏡面上に磨いた。【選択図】  図１
2010069591.tif 000002
【特許請求の範囲】
【請求項１】
モータと、
該モータに回転駆動されるインパクト機構部と、
該インパクト機構部に接続される先端工具保持部と、
前記インパクト機構部の外周を覆うハンマケースとを有するインパクト工具であって、
前記ハンマケースを金属で構成し、前記ハンマケースの少なくとも一部を鏡面状に磨いたことを特徴とするインパクト工具。
【請求項２】
前記ハンマケースは、鏡面状に磨かれた鏡面部と、磨かれない非鏡面部とを有し、
前記非鏡面部が、前記モータを収容するハウジングにより保持されることを特徴とする請求項１記載のインパクト工具。
【請求項３】
前記鏡面部は、前記非鏡面部よりも突出して設けられることを特徴とする請求項２に記載のインパクト工具。
【請求項４】
前記ハウジングの一部に熱可塑性エラストマを配置したことを特徴とする請求項２または請求項３記載のインパクト工具。
【請求項５】
前記鏡面部には、クリア塗装が施されていることを特徴とする請求項１から請求項４のいずれか１項記載のインパクト工具。
【発明の詳細な説明】
【技術分野】
【０００１】
本発明は、回転方向に打撃力を伝達するインパクト機構を有したインパクト工具に関する。特に、インパクト機構を覆うように設けられるハンマケースを有するインパクト工具に関する。
【背景技術】
【０００２】
インパクト工具は、様々な場所で作業者により使用される。また、その作業中に、一旦、インパクト工具を作業する場所に置いたりする場合がある。このような場合に、一旦置いた場所を忘れてしまう場合があり、インパクト工具を紛失してしまうこともあった。できるだけ目立つようにしておくことにより、インパクト工具の紛失を避けることができる。
【０００３】
このように、紛失をさけるための従来のインパクト工具として、例えば、インパクト機構を覆うハンマケースにメッキ仕上げをしたものが特許文献１に提案されている。
【０００４】
【特許文献１】特開２００６−３１５１３２
【発明の開示】
【発明が解決しようとする課題】
【０００５】
メッキ仕上げをしたインパクト工具は、メッキ仕上げを行う際に様々な工程があった。例えば、クロムメッキ仕上げの場合には、素地仕上げ、素地洗浄、冶具取り付け、陽極処理、クロムめっき、水素除去、仕上げといった工程が必要であり、製造コストが高い。また、クロムめっき作業では人体に有害な６価クロムを用いるため、環境負荷が高い。また、ハンマケースをメッキした場合、メッキが相手材に着いてしまう問題があった。
【０００６】
本発明の目的は、上記問題を解決するために、安価で、環境負荷が低く、相手材を汚さないように配慮したインパクト工具を提供することにある。
【課題を解決するための手段】
【０００７】
上記の目的は、モータと、該モータに回転駆動されるインパクト機構部と、該インパクト機構部に接続される先端工具保持部と、前記インパクト機構部の外周を覆うハンマケースとを有するインパクト工具であって、前記ハンマケースを金属で構成し、前記ハンマケースの少なくとも一部を鏡面上に磨いたことにより、達成することができる。
【発明の効果】
【０００８】
モータと、該モータに回転駆動されるインパクト機構部と、該インパクト機構部に接続される先端工具保持部と、前記インパクト機構部の外周を覆うハンマケースとを有するインパクト工具であって、前記ハンマケースを金属で構成し、前記ハンマケースの少なくとも一部を鏡面上に磨いた構成とすることによって、安価で、環境負荷が低く、相手材を汚さないように配慮したインパクト工具を提供することができる。
【発明を実施するための最良の形態】
【０００９】
図１に本発明の第１の実施形態を示すインパクト工具として、電動インパクトドライバ１を示す。電動インパクトドライバ１は、ハウジング２を有する。ハウジング２は、モータハウジング２Ａと、モータハウジング２Ａから下方へと延び作業者により把持されるグリップ２Ｂと、グリップ２Ｂの下部に有り蓄電池３を着脱可能な電池接続部２Ｃを有する。
【００１０】
ハウジングの外周には、図示しない熱可塑性エラストマが設けられている。
【００１１】
モータハウジング２Ａとグリップ２Ｂとの間には、トリガ４が設けられており、トリガ４を作業者が操作すると蓄電池３からモータへと通電されるようになっている。
【００１２】
モータハウジング２Ａには、金属製のハンマケース１１が保持されており、ハンマケース１１には、ゴム製のゴムキャップ１０が設けられている。ハンマケース１１の一端には、図示しない先端工具を保持可能な先端工具保持部８Ａが設けられている。なお、ハンマケースの材質としては、例えばアルミ、ステンレス、鉄などどのような金属であっても良い。
【００１３】
図２に電動インパクトドライバ１の一部断面図を示す。
【００１４】
モータハウジング２Ａの内部には、後方にモータ５Ａが設けられている。モータ５は、ステータ５Ａと、ロータ５Ｂとを有する。ロータ５Ａは、モータハウジング２Ａに回転可能に前方、後方に２つ設けられている軸受により保持されている。ロータ５Ｂの前方は、減速機構部６と接続されている。また、減速機構部６は、インパクト機構部７と接続されている。インパクト機構部７は、アンビル８と接続されており、アンビル８の前方には先端工具保持部８Ａが設けられている。
【００１５】
インパクト機構部７を覆うようにハンマケース１１が設けられている。ハンマケース１１は、モータハウジング２Ａにより保持されている。なお、モータハウジング２Ａは２つ割ハウジングにより構成されており、該２つ割ハウジングにより挟み込まれてネジ留めされることによりハンマケース１１を保持できるようになる。
【００１６】
ハンマケース１１の前方側には、ゴムキャップ１０が保持されている。ゴムキャップ１０は前方で小径になっている小径部１０Ａを有しており、小径部１０Ａは、ハンマケース１１の前方で一部大径になる大径部１１Ｃ１と係合している。ハンマケース１１の下方には、ライト９が設けられている。ゴムキャップ１０は、ライトを覆うように構成されている。
【００１７】
図３に、ハンマケースのみを示す。
【００１８】
ハンマケース１１には、鏡面状に磨かれる第１鏡面部１１Ａ１、第２鏡面部１１Ａ２を有する。また、磨かれない第１非鏡面部１１Ｂ１、第２非鏡面部１１Ｂ２を有する。なお、鏡面状に磨く際には、バフ加工を施す。また、第１鏡面部１１Ａ１及び第２鏡面部１１Ａ２には、バフ加工を施した跡に、クリア塗装を施す。このようにクリア塗装を施すことにより、より鏡面部の鏡面上に磨かれた光沢が長持ちするようになる。
【００１９】
第２鏡面部１１Ａ２と第２非鏡面部１１Ｂ２の間には、第２鏡面部１１Ａ２及び第２非鏡面部１１Ｂ２よりも大径に設けられた大径部１１Ｃ１が設けられている。また、第２非鏡面部１１Ｂ２の下方には、ライト９を位置決めするための突起１０Ｃ２が設けられている。
【００２０】
鏡面部１１Ａ１は、非鏡面部１１Ｂ１よりも大径に設けられている。このため、鏡面部１１Ａ１を鏡面状に磨く際に磨くことが容易になるようになっており、他の部分を磨くことが内容になっている。
【００２１】
図４に、電動インパクトドライバの第２の実施形態を示す。ゴムキャップ１０の構造以外は、第１の実施形態と同じであるので、省略する。ゴムキャップ１０には、第１鏡面部１１Ａ１を覆うように延伸部１０Ｂが設けられている。このように構成したので、電動インパクトドライバが鏡面状に光るのが苦手と思う作業者の場合には、コのようなゴムキャップ１０を用いることにより、第１鏡面部１１Ａ１を隠すようにすることができる。
【００２２】
以上のように、ハンマケースを金属で構成し、ハンマケースの少なくとも一部を鏡面状に磨いたので、安価で、環境負荷が低く、相手材を汚さないように配慮したインパクト工具とすることができる。
【００２３】
また、ハンマケースは、鏡面状に磨かれた鏡面部と、磨かれない非鏡面部とを有し、非鏡面部が、モータを収容するハウジングにより保持されることとしたので、ハウジングに保持される部分を鏡面部としないように構成する。このため、無駄な部分を鏡面上に磨くことがなく、安価なインパクト工具とすることができる。
【００２４】
また、鏡面部は、非鏡面部よりも突出して設けられるので、突出した部分のみを磨くことができるので鏡面上に磨く際に容易に磨くことができるようになる。
【００２５】
ハウジングの一部に熱可塑性エラストマを配置したので、鏡面部を傷つけることが少ないインパクト工具とすることができる。
【００２６】
鏡面部には、クリア塗装が施されるようにしたので、鏡面部をより長く保持できるようになる。
【図面の簡単な説明】
【００２７】
【図１】本発明の第１の実施形態を示す電動インパクトドライバの外観図
【図２】電動インパクトドライバの一部断面図
【図３】本発明を構成するハンマケースの外観図
【図４】本発明の第２の実施形態の電動インパクトドライバの外観図
【符号の説明】
【００２８】
１  電動インパクトドライバ、２  ハウジング、３  蓄電池、４  トリガ、５  モータ、６  減速機構部、７  インパクト機構部、８  アンビル、９  ライト、１０  ゴムキャップ、１１  ハンマケース
【図１】
2010069591.tif 000003
【図２】
2010069591.tif 000004
【図３】
2010069591.tif 000005
【図４】
2010069591.tif 000006